(57)【要約】      （修正有）【課題】指針式のブルートゥーススマートによる時間補正時計芯を提供する。【解決手段】コア本体１を含む指針式のブルートゥーススマートによる時間補正時計芯において、それぞれコア本体１底部に電池ケース２、電池ケース２表面に脱着孔３、電池ケース２の一方側に定刻時報モジュール４、定刻時報モジュール４の一方側に中央マイクロプロセッサ５、中央マイクロプロセッサ５の一方側にブルートゥース通信モジュール６、電池ケース２の他方側に電源管理回路７、電源管理回路７の一端にディスプレイクリーン８が、各々設置される。【選択図】図１
0003213640.tif 000002
【実用新案登録請求の範囲】
【請求項１】
コア本体（１）を含む指針式のブルートゥーススマートによる時間補正時計芯において、それぞれ前記コア本体（１）底部に電池ケース（２）、前記電池ケース（２）表面に脱着孔（３）、前記電池ケース（２）の一方側に定刻時報モジュール（４）、前記定刻時報モジュール（４）の一方側に中央マイクロプロセッサ（５）、前記中央マイクロプロセッサ（５）の一方側にブルートゥース通信モジュール（６）、前記電池ケース（２）の他方側に電源管理回路（７）、前記電源管理回路（７）の一端にディスプレイクリーン（８）、前記ディスプレイクリーン（８）の一方側にセンサーモジュール（９）、前記センサーモジュール（９）の一方側に固着ネジ孔（１０）、前記ブルートゥース通信モジュール（６）の一方側に歯車コンポーネント（１３）、前記歯車コンポーネント（１３）の一方側にフォトカプラセンサー（１１）、前記フォトカプラセンサー（１１）の一方側に環境監視測定モジュール（１５）、前記歯車コンポーネント（１３）底部にステップモータ（１４）、前記ブルートゥース通信モジュール（６）の他方側にボタンスイッチ（１２）が、各々設置されることを特徴とする指針式のブルートゥーススマートによる時間補正時計芯。
【請求項２】
前記電池ケース（２）内部にバッテリーパックが設置され、前記バッテリーパックが一つ〜三つの１．５Ｖ電池を直列に接続して構成される１．５-４．５Ｖ電源として給電し、且つ１．５Ｖ単体電池コアのサイズが為５６mm×５６mmとすることを特徴とする請求項１に記載の指針式のブルートゥーススマートによる時間補正時計芯。
【請求項３】
前記電池ケース（２）、定刻時報モジュール（４）、中央マイクロプロセッサ（５）、ブルートゥース通信モジュール（６）、電源管理回路（７）、ディスプレイクリーン（８）、センサーモジュール（９）及びステップモータ（１４）が、それぞれボタンスイッチ（１２）と電気に接続されることを特徴とする請求項１に記載の指針式のブルートゥーススマートによる時間補正時計芯。
【請求項４】
前記ブルートゥース通信モジュール（６）がブルートゥース４．０以上の版本（BLE）の通信技術を使用することを特徴とする請求項１に記載の指針式のブルートゥーススマートによる時間補正時計芯。
【請求項５】
前記センサーモジュール（９）が、有害ガスセンサー（ホルムアルデヒド、一酸化炭素及びシンナーの揮発ガス等の他の有害ガス）、可燃ガスセンサー（石炭気、天然ガス及び液化石油ガス等の可燃ガス）、煙霧センサー及び温度センサーを含むことを特徴とする請求項１に記載の指針式のブルートゥーススマートによる時間補正時計芯。
【考案の詳細な説明】
【技術分野】
【０００１】
本考案は一種時計芯分野に関し、特に指針式のブルートゥーススマートによる時間補正時計芯に関する。
【背景技術】
【０００２】
現在、市販されている一般的な自動制御標準タイミング付与指針式のクォーツ時計は以下の種類を含む。
１．無線電波低頻振幅変調長波グラントクロックであり、電波時計と略称し、国家タイムサービスセンターから発送された無線電制御標準タイミング付与信号（中国BPC６８．５KHZ;日本JJY６０KHZ／４０kHZ;ドイツDCF７７．５KHZ;英国MSF６０KHZ;スイスHBG７５kHZ;アメリカWWＶB６０kHZ）を受信し、時計内のマイクロプロセッサで時計の走行を制御することで、指針の表示がユーザ所在地のタイミングと精確に保持させ．区域性の地域で時刻を補正するように信号を取得でき、信号が安定した地域で使用を便利にするものの、以下の欠点がある。
（１）各制式の電波信号が一般的に一つの信号発射塔（現在、日本のみに二つの発射塔）を備え、電波信号が受伝送距離、地形（例えば、高山の阻止）、気候（例えば、雨・雪天気）、及び環境（湿気、コンクリート建築）、電器作動の電磁ノイズにより影響されて低下させ、信号の不安定を引き起こし、信号死角を形成する。
（２）キャリアーの周波数が低く、信号伝送スピードが低くなり、効率も悪く、タイミング付与過程の時間（３〜８分についてJJYで数十分かかる）が長くなる。
（３）キャリアーの周波数が低く、日常生活の家用電器及び工業設備の電源の周波数と接近して同じであるので、信号が同頻信号の妨害を受けやすく信号を悪くさせ、最終的に信号受信の失敗を引き起こす。
（４）単体のフォーマットの電波信号被覆範囲が有限であり、ある一特定の国家或は地域にタイミングのみを付与し、他方の地域或は国家に時間を指示できず、且つ異なる国家の電波周波数及び信号フォーマットが異なることにより、受信回路及び信号解読方式も異なるので、多国で互換コアを製造すれば、回路が複雑になり、且つコストが高くなる。
２．GPS衛星グラント時計であり、宇宙空間にあるGPS衛星信号の受信により時刻を補正し、信号被覆範囲が広く、ほとんどグローバル被覆に達し、タイミング付与速度が速く、開闊環境で一般的に１５〜４０秒でタイミング付与を完成するが、以下の弊害も多く存在する。
（１）原材料コストが高く、直接的に製品のコストがあがり、普及するのが困難である。
（２）室外露天環境だけでの信号であり、露天の広場時計には適している。一度室内に入ると信号が被遮蔽され、全天候で随時に信号を取得するならば、比較的長い室外アンテナ、或は信号転送設備を架設し、対応にタイミング付与コストを増加させる必要が生じ、価格が高価になる。
（３）電力消費が大きく、電網給電の環境での使用に適合するが、電池で給電すれば、常に充電する必要があり、使用が便利ではなく、電池で長時間給電される携帯式製品が製造しにくくなる。
（４）人工的に時間帯を設定する必要があり、GPS衛星でUTC時間を発送するので、正確な時間帯を設定してから正確なユーザ当地時間を表示できる。個別に自動時間帯に加入する機種があるが、グローバル各国の実際時間帯が完全に座標により区分することがなく、時間帯への判断が錯誤する現象が現れ、人工設定時間帯の動作を追加し、使用の不便を引き起こす。
【考案の概要】
【考案が解決しようとする課題】
【０００３】
前記各種の自動時間補正グラントクロックの不足及び欠陥を補足して解決するために、本考案者が指針式のブルートゥーススマートによる時間補正時計芯を開発する。
【０００４】
本考案の主要な目的は、指針式のブルートゥーススマートによる時間補正時計芯を提供することにあり、「光学、電子、機械伝動及び無線通信」を一体化させる技術の応用により、機械歯車コンポーネント制御を完成し、且つ無線受信APPソフトウェアにある時間情報に基づき、中央マイクロプロセッサ制御チップ及びフォトカプラ部品作動原理を結合して、新型自動時間補正時計製品を作成し、このような時計が実用し、且つ精準度較が高く、地理、信号等の要素の影響を受けることがなく、「背景技術」にある問題を有効に解決できる。
【課題を解決するための手段】
【０００５】
前記目的を実現する為に、本考案は以下の技術方案を採用する。
【０００６】
指針式のブルートゥーススマートによる時間補正時計芯は、コア本体を含む時間補正時計芯において、それぞれ前記コア本体の底部に電池ケース、前記電池ケース表面に脱着孔、前記電池ケースの一方側に定刻時報モジュール、前記定刻時報モジュールの一方側に中央マイクロプロセッサ、前記中央マイクロプロセッサの一方側にブルートゥース通信モジュール、前記電池ケースの他方側に電源管理回路、前記電源管理回路の一端にディスプレイクリーン、前記ディスプレイクリーンの一方側にセンサーモジュール、前記センサーモジュールの一方側に固着ネジ孔、前記ブルートゥース通信モジュールの一方側に歯車コンポーネント、前記歯車コンポーネントの一方側にフォトカプラセンサー、前記フォトカプラセンサーの一方側に環境監視測定モジュール、前記歯車コンポーネントの底部にステップモータ、前記ブルートゥース通信モジュールの他方側にボタンスイッチが、各々設置される。
【０００７】
さらに、前記電池ケース内部にバッテリーパックが設置され、前記バッテリーパックが一つ〜三つの１．５Ｖ電池で直列に接続して構成される１．５〜４．５Ｖ電源として給電し、且つ１．５Ｖ単体電池コアのサイズが５６mm×５６mmとする。
【０００８】
さらに、前記電池ケース、定刻時報モジュール、中央マイクロプロセッサ、ブルートゥース通信モジュール、電源管理回路、ディスプレイクリーン、センサーモジュール及びステップモータがボタンスイッチと電気に接続される。
【０００９】
さらに、前記ブルートゥース通信モジュールがブルートゥース４．０以上の版本（BLE）の通信技術を利用する。
【００１０】
さらに、前記センサーモジュールが、有害ガスセンサー（ホルムアルデヒド、一酸化炭素及びシンナーの揮発ガス等の他の有害ガス）、可燃ガスセンサー（石炭気、天然ガス及び液化石油ガス等の可燃ガス）、煙霧センサー及び温度センサーを含む。
【考案の効果】
【００１１】
従来の技術と比べて、本考案は以下のような有益な効果を備える。
【００１２】
コア本体、電池ケース及び脱着孔の結合により、電池ケース内にバッテリーパックが設置され、バッテリーパックが１つ〜３つの１．５Ｖ電池を直列に接続して構成される１．５〜４．５Ｖ電池として給電し、且つ１．５Ｖ単体電池コアのサイズが５６mm×５６mmとし、比較的小さい電池で構成されるバッテリーパックを採用して、使用寿命が比較的長く、耐用しｌ、且コア本体の体積を減少させ、時計の美観度を向上させ、脱着孔がコア本体の脱着を便利にし、定刻時報モジュール、中央マイクロプロセッサ、ブルートゥース通信モジュール、電源管理回路及びディスプレイクリーンの結合により、定刻時報モジュールが、電源管理回路とバッテリーパックとの接続により、中央マイクロプロセッサにより時間データを処理し、定刻時刻に提示でき、使用を便利にし、使用者の時間観念を増加する。ブルートゥース通信モジュールが信号を受信でき、ディスプレイクリーン、センサーモジュール及び固着ネジ孔の結合により、センサーモジュールが、ホルムアルデヒドセンサー、煙霧センサー及び温度センサーを含むので、使用者が適時に了解できるように、センサーで生じる信号をディスプレイクリーンに伝送し、実用を便利にし、固着ネジ孔によりセンサーモジュールの脱着を便利にし、フォトカプラセンサー、ボタンスイッチ、歯車コンポーネント、ステップモータ及び環境監視測定モジュールの結合により、電池ケース、定刻時報モジュール、中央マイクロプロセッサ、ブルートゥース通信モジュール、電源管理回路、ディスプレイクリーン、センサーモジュール及びステップモータが、それぞれボタンスイッチと電気に接続され、ブルートゥース通信モジュールがブルートゥース及び以上の版本（BLE）の通信技術を利用し、ブルートゥース通信モジュール及び中央マイクロプロセッサを採用して、コアが平時に内部プログラミングにより走行を保持するように制御し、ブルートゥースモジュールが更新情報を取得して、中央マイクロプロセッサに伝送し、中央マイクロプロセッサが新しい時間情報により復調し、読み取られた情報を電子信号に変換してステップモータを駆動することで、歯車コンポーネントを駆動でき、指針で指示された時間を調整して運転し、且つフォトカプラセンサーで歯車コンポーネントの位置の偏差を検出し、現行歯車コンポーネントの機械的偏差を修正し、歯車コンポーネント走行の精確性を実現し、利便性を向上させ、且つ精確度を高くする。
【００１３】
本考案は、「光学、電子、機械伝動及び無線通信」を一体化させる技術の応用により、機械歯車コンポーネントの制御を完成し、且つ無線受取APPソフトウェアにある時間情報により、中央マイクロプロセッサ制御チップ及びフォトカプラ部品作動原理の結合に基づき、製造される新型の自動時間補正時計製品が、実用度且つ精準度が比較的高く、地理、信号等の要素の影響を受けず、幅広く普及及び使用に適合する。
【図面の簡単な説明】
【００１４】
【図１】図１は本考案による指針式のブルートゥーススマートによる時間補正時計芯の全体構造模式図である。
【図２】図２は本考案による指針式のブルートゥーススマートによる時間補正時計芯の一部構造模式図である。
【符号の説明】
【００１５】
１…コア本体、２…電池ケース、３…脱着孔、４…定刻時報モジュール、５…中央マイクロプロセッサ、６…ブルートゥース通信モジュール、７…電源管理回路、８…ディスプレイクリーン、９…センサーモジュール、１０…固着ネジ孔、１１…フォトカプラセンサー、１２…ボタンスイッチ、１３…歯車コンポーネント、１４…ステップモータ、１５…環境監視測定モジュール。
【考案を実施するための形態】
【００１６】
本考案の実現する技術手段、創作特徴、達成目的と効能が理解しやすいように、以下、考案の実施形態を結合させて、より一層として本考案を闡明する。
【００１７】
図１-２の示すように、本考案による指針式のブルートゥーススマートによる時間補正時計芯は、コア本体１を含み、それぞれ前記コア本体１の底部に電池ケース２が設置され、前記電池ケース２表面に脱着孔３が設置され、前記電池ケース２の一方側に定刻時報モジュール４が設置され、前記定刻時報モジュール４の一方側に中央マイクロプロセッサ５が設置され、前記中央マイクロプロセッサ５の一方側にブルートゥース通信モジュール６が設置され、前記電池ケース２の他方側に電源管理回路７が設置され、前記電源管理回路７の一端にディスプレイクリーン８が設置され、前記ディスプレイクリーン８の一方側にセンサーモジュール９が設置され、前記センサーモジュール９の一方側に固着ネジ孔１０が設置され、前記ブルートゥース通信モジュール６の一方側に歯車コンポーネント１３が設置され、前記歯車コンポーネント１３の一方側にフォトカプラセンサー１１が設置され、前記フォトカプラセンサー１１の一方側に環境監視測定モジュール１５が設置され、前記歯車コンポーネント１３の底部にステップモータ１４が設置され、前記ブルートゥース通信モジュール６の他方側にボタンスイッチ１２が設置される。
【００１８】
本考案による指針式のブルートゥーススマートによる時間補正時計芯は、コア本体１及び電池ケース２と脱着孔３との結合により、電池ケース２内部にバッテリーパックが設置され、バッテリーパックが、１つ〜３つの１．５Ｖ電池を直列に接続されて構成される１．５〜４．５Ｖの電源として給電し、且つ１．５Ｖ単体電池コアにあるサイズが５６mm×５６mmとし、比較的小さい電池で構成されるバッテリーパックを採用して、使用寿命が比較的長く耐用でき、且つコア本体１の体積が減少でき、時計の美観度を向上させ、脱着孔３によりコア本体１の脱着を便利にし、定刻時報モジュール４、中央マイクロプロセッサ５、ブルートゥース通信モジュール６及び電源管理回路７とディスプレイクリーン８との結合により、定刻時報モジュール４が、電源管理回路７とバッテリーパックとの接続により、中央マイクロプロセッサ５により時間データの処理を行うことで、定刻時刻に提示でき、人々の使用を便利にし、使用者の時間観念を増加し、ブルートゥース通信モジュール６が信号を受信することができ、ディスプレイクリーン８、センサーモジュール９及び固着ネジ孔１０の結合により、センサーモジュール９がホルムアルデヒドセンサー、煙霧センサー及び温度センサーを含むゆえ、センサーにより生じた信号をディスプレイクリーン８に伝送到できることで、使用者が適時に理解でき、実用性に優れたものになる。固着ネジ孔１０によりセンサーモジュール９の脱着を便利にする。フォトカプラセンサー１１、ボタンスイッチ１２、歯車コンポーネント１３、ステップモータ１４及び環境監視測定モジュール１５の結合により、電池ケース２、定刻時報モジュール４、中央マイクロプロセッサ５、ブルートゥース通信モジュール６、電源管理回路７、ディスプレイクリーン８、センサーモジュール９及びステップモータ１４が、それぞれボタンスイッチ１２と電気に接続され、ブルートゥース通信モジュール６がブルートゥース４．０以上の版本（BLE）の通信技術を利用し、ブルートゥース通信モジュール６及び中央マイクロプロセッサ５が、平時に内部プログラミングによりコアにある走行を保持させるように制御し、ブルートゥースモジュールにより更新情報後を取得して、中央マイクロプロセッサ５に伝送し、中央マイクロプロセッサ５が新しい時間情報により復調し、読み取られた情報を電子信号に変換してステップモータ１４を駆動することで歯車コンポーネント１３を駆動し、指針で指示される時間を調整して運転し、フォトカプラセンサー１１で歯車コンポーネント１３の位置偏差を検出し、現行歯車コンポーネント１３の機械的偏差を校正し、歯車コンポーネント１３の精確な走行を実現し、利便性を高め、且つ精確度が高い。本考案は、「光学、電子、機械伝動及び無線通信」一体化の技術を応用し、機械歯車コンポーネントの制御を完成し、且つ無線受取APPソフトウェアにある時間情報により、中央マイクロプロセッサがチップ及びフォトカプラ部品の作動原理の結合を制御し、新型の自動時間補正時計製品を製造し、この製品が実用し、且つ精準度が高く、地理、信号等の要素の影響を受けず、幅広く普及及び使用に適合する。
【００１９】
その中で、前記電池ケース２内部にバッテリーパックが設置され、前記バッテリーパックが１つ〜３つの１．５Ｖ電池を直列に接続して構成される１．５〜４．５Ｖ電源として給電し、且つ１．５Ｖ単体の電池コアのサイズが５６mm×５６mmとする。
【００２０】
その中で、前記電池ケース２、定刻時報モジュール４、中央マイクロプロセッサ５、ブルートゥース通信モジュール６、電源管理回路７、ディスプレイクリーン８、センサーモジュール９及びステップモータ１４がボタンスイッチ１２と電気に接続する。
【００２１】
その中で、前記ブルートゥース通信モジュール６がブルートゥース４．０以上の版本（BLE）の通信技術を利用する。
【００２２】
その中で、前記センサーモジュール９が、有害ガスセンサー（ホルムアルデヒド、一酸化炭素及びシンナーの揮発ガス等の他の有害ガス）、可燃ガスセンサー（石炭気、天然ガス及び液化石油ガス等の可燃ガス）、煙霧センサー及び温度センサーを含む。
【００２３】
次に説明するように、センサーモジュールはガス感知半導体を敏感材料として使用し、各種の物理量の作用で、半導体材料内にあるキャリアの濃度或は分布の変化を引き起こすため、電信号の変化を発生させ、検出されたこれらの物理特性の変化により、測定されるガスの濃度及び含有量パラメータ値を反映できる。センサーモジュールの電波の速度及び周波数が外界環境の変化によりドリフトを発生するという特性を利用して、ガス種類とその濃度の関連情報を電信号に変換し、これらの電信号の強弱により、環境にある被測定ガスの存在状況の関連情報が取得できる。センサーと被測定ガスとの相互作用（化学作用や、生物作用や、物理吸着）により、センサーの導電率の変化を発生させ、圧電晶体の声表面波の周波数がドリフトを発生させ、ガス濃度が異なることにより、膜層品質及び導電率の変化程度が異なり、即ち、声表面波周波数の変化も異なるようになる。測定センサー周波数の変化により精確な反応ガス濃度の変化値が取得できる。そうして検出、監視、警報を実施でき、インターフェース回路及び中央マイクロコントローラーにより自動検出、制御及び警報システムを構成する。
【００２４】
センサーモジュールが、有害ガスの分子或は煙霧、例えば、水素、一酸化炭素、ホルムアルデヒド、アルカン、エーテル、ベンゼン及び天然ガス等に接触すると、復元反応を発生して熱量を放出し、素子の温度が相応に高くさせ、電気抵抗の変化を発生させる。そうして一酸化炭素ガスの検出、ガスの検出、石炭気の検出、アルコールの検出等を実現し、半導体材料のこんような特性を利用し、ガスの成分及び濃度を電信号に変換し、監視測定して警報する。
【００２５】
以上、本考案の基本原理、主要な特徴及び本考案の長所を示して説明したが、本業種の技術人員がべき了解、本考案は前記実施例により制限させなく、前記実施例及び明細書で本考案の原理だけを説明し、本考案の精神及び範囲を離脱しない前提下で、本考案は様々に変化して改進でき、これらの変化及び改進が、本考案の保護範囲内にある。本考案の保護範囲が請求の範囲とその等効範囲により特定される。
【図１】
0003213640.tif 000003
【図２】
0003213640.tif 000004
【手続補正書】
【提出日】平成29年9月26日(2017.9.26)
【手続補正１】
【補正対象書類名】実用新案登録請求の範囲
【補正対象項目名】全文
【補正方法】変更
【補正の内容】
【実用新案登録請求の範囲】
【請求項１】
コア本体（１）を含む指針式のブルートゥーススマートによる時間補正時計芯において、それぞれ前記コア本体（１）底部に電池ケース（２）、前記電池ケース（２）表面に脱着孔（３）、前記電池ケース（２）の一方側に定刻時報モジュール（４）、前記定刻時報モジュール（４）の一方側に中央マイクロプロセッサ（５）、前記中央マイクロプロセッサ（５）の一方側にブルートゥース通信モジュール（６）、前記電池ケース（２）の他方側に電源管理回路（７）、前記電源管理回路（７）の一端にディスプレイクリーン（８）、前記ディスプレイクリーン（８）の一方側にセンサーモジュール（９）、前記センサーモジュール（９）の一方側に固着ネジ孔（１０）、前記ブルートゥース通信モジュール（６）の一方側に歯車コンポーネント（１３）、前記歯車コンポーネント（１３）の一方側にフォトカプラセンサー（１１）、前記フォトカプラセンサー（１１）の一方側に環境監視測定モジュール（１５）、前記歯車コンポーネント（１３）底部にステップモータ（１４）、前記ブルートゥース通信モジュール（６）の他方側にボタンスイッチ（１２）が、各々設置されることを特徴とする指針式のブルートゥーススマートによる時間補正時計芯。
【請求項２】
前記電池ケース（２）内部にバッテリーパックが設置され、前記バッテリーパックが一つ〜三つの１．５Ｖ電池を直列に接続して構成される１．５-４．５Ｖ電源として給電し、且つ１．５Ｖ単体電池コアのサイズが為５６mm×５６mmとすることを特徴とする請求項１に記載の指針式のブルートゥーススマートによる時間補正時計芯。
【請求項３】
前記電池ケース（２）、定刻時報モジュール（４）、中央マイクロプロセッサ（５）、ブルートゥース通信モジュール（６）、電源管理回路（７）、ディスプレイクリーン（８）、センサーモジュール（９）及びステップモータ（１４）が、それぞれボタンスイッチ（１２）と電気に接続されることを特徴とする請求項１に記載の指針式のブルートゥーススマートによる時間補正時計芯。
【請求項４】
前記ブルートゥース通信モジュール（６）がブルートゥース４．０以上の版本（BLE）の通信技術を使用することを特徴とする請求項１に記載の指針式のブルートゥーススマートによる時間補正時計芯。
【請求項５】
前記センサーモジュール（９）が、有害ガスセンサー、可燃ガスセンサー、煙霧センサー及び温度センサーを含むことを特徴とする請求項１に記載の指針式のブルートゥーススマートによる時間補正時計芯。